【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】  外部からの接続に対してファイアウォールにより守られたネットワーク内の操作対象装置をハイパーテキストトランスファープロトコル通信を用いて遠隔操作する遠隔操作装置であって、
操作対象装置からハイパーテキストトランスファープロトコル通信により定期的に送信されてくるポストコマンドを受信する受信手段と、
入力された操作対象装置を遠隔操作するための操作指示情報を記憶する記憶手段と、
前記ネットワーク内の操作対象装置からの遠隔操作装置へのポストコマンドの送信により外部からの前記ファイアウォールの通過が認められると、前記受信手段で受信した定期的に送信されてくるポストコマンドに対して、前記記憶手段に記憶された操作指示情報に基づく応答をハイパーテキストトランスファープロトコル通信を用いて行う応答手段と、
を有することを特徴とする遠隔操作装置。
【請求項２】  ブラウザを介したユーザの指示に応じて、ポストコマンドに対する応答である操作指示情報を作成する作成手段を有し、前記記憶手段は前記作成手段により作成された操作指示情報を記憶することを特徴とする請求項１に記載の遠隔操作装置。
【請求項３】  前記応答手段は、前記ポストコマンドに、前記記憶手段に記憶された操作指示情報を付加し、応答を行うことを特徴とする請求項１又は２に記載の遠隔操作装置。
【請求項４】  前記ポストコマンドには、前記操作対象装置のデバイス状態情報が含まれることを特徴とする請求項１乃至３のいずれか１項に記載の遠隔操作装置。
【請求項５】  外部からの接続に対してファイアウォールにより守られたネットワーク内の操作対象装置をハイパーテキストトランスファープロトコル通信を用いて遠隔操作する遠隔操作装置であって、
操作対象装置からハイパーテキストトランスファープロトコル通信により定期的に送信されてくるコマンドを受信する受信手段と、
入力された操作対象装置を遠隔操作するための操作指示情報を記憶する記憶手段と、
前記ネットワーク内の操作対象装置からの遠隔操作装置へのコマンドの送信により外部からの前記ファイアウォールの通過が認められると、前記受信手段で受信した定期的に送信されてくるコマンドに対して、前記記憶手段に記憶された操作指示情報に基づく応答をハイパーテキストトランスファープロトコル通信を用いて行う応答手段と、
を有することを特徴とする遠隔操作装置。
【請求項６】  外部からの接続に対してファイアウォールにより守られたネットワーク内の操作対象装置をハイパーテキストトランスファープロトコル通信を用いて遠隔操作する遠隔操作方法であって、
操作対象装置からハイパーテキストトランスファープロトコル通信により定期的に送信されてくるポストコマンドを受信する受信ステップと、
入力された操作対象装置を遠隔操作するための操作指示情報を記憶する記憶ステップと、
前記ネットワーク内の操作対象装置からの遠隔操作装置へのポストコマンドの送信により外部からの前記ファイアウォールの通過が認められると、前記受信ステップで受信した定期的に送信されてくるポストコマンドに対して、前記記憶ステップで記憶された操作指示情報に基づく応答をハイパーテキストトランスファープロトコル通信を用いて行う応答ステップと、
を有することを特徴とする遠隔操作方法。
【請求項７】  ブラウザを介したユーザの指示に応じて、ポストコマンドに対する応答である操作指示情報を作成する作成ステップを有し、前記記憶ステップは前記作成ステップで作成された操作指示情報を記憶することを特徴とする請求項６に記載の遠隔操作方法。
【請求項８】  前記応答ステップは、前記ポストコマンドに、前記記憶ステップで記憶された操作指示情報を付加し、応答を行うことを特徴とする請求項６又は７に記載の遠隔操作方法。
【請求項９】  前記ポストコマンドには、前記操作対象装置のデバイス状態情報が含まれることを特徴とする請求項６乃至８のいずれか１項に記載の遠隔操作方法。
【請求項１０】  外部からの接続に対してファイアウォールにより守られたネットワーク内の操作対象装置をハイパーテキストトランスファープロトコル通信を用いて遠隔操作する遠隔操作方法であって、
操作対象装置からハイパーテキストトランスファープロトコル通信により定期的に送信されてくるコマンドを受信する受信ステップと、
入力された操作対象装置を遠隔操作するための操作指示情報を記憶する記憶ステップと、
前記ネットワーク内の操作対象装置からの遠隔操作装置へのコマンドの送信により外部からの前記ファイアウォールの通過が認められると、前記受信ステップで受信した定期的に送信されてくるコマンドに対して、前記記憶ステップで記憶された操作指示情報に基づく応答をハイパーテキストトランスファープロトコル通信を用いて行う応答ステップと、
を有することを特徴とする遠隔操作方法。
【請求項１１】  請求項６乃至１０のいずれか１項に記載の遠隔操作方法における各ステップをコンピュータに実行させるためのプログラムを格納したことを特徴とするコンピュータ可読の記憶媒体。
【手続補正２】
【補正対象書類名】明細書
【補正対象項目名】０００９
【補正方法】変更
【補正の内容】
【０００９】
【課題を解決するための手段】
上記目的を達成するために、本発明の請求項１記載の遠隔操作装置は、外部からの接続に対してファイアウォールにより守られたネットワーク内の操作対象装置をハイパーテキストトランスファープロトコル通信を用いて遠隔操作する遠隔操作装置であって、操作対象装置からハイパーテキストトランスファープロトコル通信により定期的に送信されてくるポストコマンドを受信する受信手段と、入力された操作対象装置を遠隔操作するための操作指示情報を記憶する記憶手段と、前記ネットワーク内の操作対象装置からの遠隔操作装置へのポストコマンドの送信により外部からの前記ファイアウォールの通過が認められると、前記受信手段で受信した定期的に送信されてくるポストコマンドに対して、前記記憶手段に記憶された操作指示情報に基づく応答をハイパーテキストトランスファープロトコル通信を用いて行う応答手段と、を有することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項３に記載の遠隔操作装置は、請求項１又は２に記載の遠隔操作装置において、前記応答手段は、前記ポストコマンドに、前記記憶手段に記憶された操作指示情報を付加し、応答を行うことを特徴とする。
【手続補正５】
【補正対象書類名】明細書
【補正対象項目名】００１３
【補正方法】変更
【補正の内容】
【００１３】
請求項４に記載の遠隔操作装置は、請求項１乃至３のいずれか１項に記載の遠隔操作装置において、前記ポストコマンドには、前記操作対象装置のデバイス状態情報が含まれることを特徴とする。
【手続補正６】
【補正対象書類名】明細書
【補正対象項目名】００１４
【補正方法】変更
【補正の内容】
【００１４】
上記目的を達成するために、本発明の請求項５に記載の遠隔操作装置は、外部からの接続に対してファイアウォールにより守られたネットワーク内の操作対象装置をハイパーテキストトランスファープロトコル通信を用いて遠隔操作する遠隔操作装置であって、操作対象装置からハイパーテキストトランスファープロトコル通信により定期的に送信されてくるコマンドを受信する受信手段と、入力された操作対象装置を遠隔操作するための操作指示情報を記憶する記憶手段と、前記ネットワーク内の操作対象装置からの遠隔操作装置へのコマンドの送信により外部からの前記ファイアウォールの通過が認められると、前記受信手段で受信した定期的に送信されてくるコマンドに対して、前記記憶手段に記憶された操作指示情報に基づく応答をハイパーテキストトランスファープロトコル通信を用いて行う応答手段と、を有することを特徴とする。
【手続補正７】
【補正対象書類名】明細書
【補正対象項目名】００１５
【補正方法】変更
【補正の内容】
【００１５】
上記目的を達成するために、本発明の請求項６に記載の遠隔操作方法は、外部からの接続に対してファイアウォールにより守られたネットワーク内の操作対象装置をハイパーテキストトランスファープロトコル通信を用いて遠隔操作する遠隔操作方法であって、操作対象装置からハイパーテキストトランスファープロトコル通信により定期的に送信されてくるポストコマンドを受信する受信ステップと、入力された操作対象装置を遠隔操作するための操作指示情報を記憶する記憶ステップと、前記ネットワーク内の操作対象装置からの遠隔操作装置へのポストコマンドの送信により外部からの前記ファイアウォールの通過が認められると、前記受信ステップで受信した定期的に送信されてくるポストコマンドに対して、前記記憶ステップで記憶された操作指示情報に基づく応答をハイパーテキストトランスファープロトコル通信を用いて行う応答ステップと、を有することを特徴とする。
【手続補正８】
【補正対象書類名】明細書
【補正対象項目名】００１６
【補正方法】変更
【補正の内容】
【００１６】
請求項７に記載の遠隔操作方法は、請求項６に記載の遠隔操作方法において、ブラウザを介したユーザの指示に応じて、ポストコマンドに対する応答である操作指示情報を作成する作成ステップを有し、前記記憶ステップは前記作成ステップで作成された操作指示情報を記憶することを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項８に記載の遠隔操作方法は、請求項６又は７に記載の遠隔操作方法において、前記応答ステップは、前記ポストコマンドに、前記記憶ステップで記憶された操作指示情報を付加し、応答を行うことを特徴とする。
【手続補正１１】
【補正対象書類名】明細書
【補正対象項目名】００１９
【補正方法】変更
【補正の内容】
【００１９】
請求項９に記載の遠隔操作方法は、請求項６乃至８のいずれか１項に記載の遠隔操作方法において、前記ポストコマンドには、前記操作対象装置のデバイス状態情報が含まれることを特徴とする。
【手続補正１２】
【補正対象書類名】明細書
【補正対象項目名】００２０
【補正方法】変更
【補正の内容】
【００２０】
上記目的を達成するために、本発明の請求項１０に記載の遠隔操作方法は、外部からの接続に対してファイアウォールにより守られたネットワーク内の操作対象装置をハイパーテキストトランスファープロトコル通信を用いて遠隔操作する遠隔操作方法であって、操作対象装置からハイパーテキストトランスファープロトコル通信により定期的に送信されてくるコマンドを受信する受信ステップと、入力された操作対象装置を遠隔操作するための操作指示情報を記憶する記憶ステップと、前記ネットワーク内の操作対象装置からの遠隔操作装置へのコマンドの送信により外部からの前記ファイアウォールの通過が認められると、前記受信ステップで受信した定期的に送信されてくるコマンドに対して、前記記憶ステップで記憶された操作指示情報に基づく応答をハイパーテキストトランスファープロトコル通信を用いて行う応答ステップと、を有することを特徴とする。
【手続補正１３】
【補正対象書類名】明細書
【補正対象項目名】００２１
【補正方法】変更
【補正の内容】
【００２１】
上記目的を達成するために、本発明の請求項１１に記載のコンピュータ可読の記憶媒体は、請求項６乃至１０のいずれか１項に記載の遠隔操作方法における各ステップをコンピュータに実行させるためのプログラムを格納したことを特徴とする。
【手続補正１４】
【補正対象書類名】明細書
【補正対象項目名】０１００
【補正方法】変更
【補正の内容】
【０１００】
【発明の効果】
以上詳細に説明したように、本発明によれば、操作対象装置がファイアウォール内部に設置されているときでも、操作側から柔軟に操作対象装置を操作することができる。